(57)【特許請求の範囲】
【請求項１】
表示用の画面と、
前記画面が搭載される第１面を有する第１部材と、
前記第１部材と嵌合して、内部空間を有し且つ前記第１面を一方の面とする板状の筐体を形成し、前記筐体の前記第１面と反対側の第２面を有する第２部材と、
前記内部空間に前記第１部材及び前記第２部材に対して固定され配置される第３部材と、
前記第１部材の前記内部空間の壁から前記第２部材の方向に突出するように、前記筐体の四隅近傍に配置されたボスと、
前記ボスと前記第１部材の前記四隅の側壁とを接続する接続部材と、
前記内部空間に配置された前記第３部材と接触するように前記ボスから延びる接触部材と、
を備えたことを特徴とする情報処理装置。
【請求項２】
前記ボスは、前記第１部材と前記第２部材又は前記第３部材とを固定する留具受けであることを特徴とする請求項１に記載の情報処理装置。
【請求項３】
前記第１部材と前記第２部材とを組み合わせた状態での前記筐体の側面の四隅における前記第１面の近傍に配設された突起をさらに備えたことを特徴とする請求項１又は２に記載の情報処理装置。
【請求項４】
前記四隅は前記突起の頂点に向かって前記第２面側から広がっていく形状を有することを特徴とする請求項３に記載の情報処理装置。
【請求項５】
前記四隅の近傍に配置され、前記第１部材と前記第２部材とを厚み方向に固定する留具と、
前記第１部材と接触し、前記留具の内側を経由し且つ前記筐体の側面近傍を経由する環状の経路を有する防水部材と、
をさらに備えたことを特徴とする請求項１〜４のうちいずれか一つに記載の情報処理装置。
【発明の詳細な説明】
【技術分野】
【０００１】
本発明は、情報処理装置に関する。
【背景技術】
【０００２】
近年、時間や場所を問わずに、情報にアクセスするために、タブレット型端末装置などの薄型で軽量な小型の情報処理装置が多く普及してきている。このような、小型の情報処理装置は持ち運ぶことが多いため、誤って落下させてしまう事態が多々発生する。
【０００３】
一方、このような小型の情報処理装置では、薄型化、軽量化及び小型化の要望が大きく、また製造者にとってはコストダウンも重要な事項であり、堅牢性の対策が取りにくい状態にある。しかし、小型の情報処理装置は、極めて精密な電子部品が高密度に内蔵されていることから、耐衝撃性が著しく低い。そのため、誤って落下させた場合、情報処理装置が損壊してしまい、誤動作の発生や動作不能に陥る危険性が高い。
【０００４】
このような耐衝撃性の観点から、小型の情報処理装置において、筐体の四隅を画面方向に突出させる従来技術が提案されている。このように筐体の四隅を画面方向に突出させることで、カバーガラスが直接地面と接触することを回避し、落下によるカバーガラスの割れを防止する従来技術がある。
【先行技術文献】
【特許文献】
【０００５】
【特許文献１】特開２０１４−９９６８６号公報
【発明の概要】
【発明が解決しようとする課題】
【０００６】
しかしながら、例えば、タブレット型端末装置などは、タッチパネルなどを搭載する側に重心が存在する。そのため、タブレット型端末装置が角を下に落下した場合、角が地面に接触した後に、重心方向、すなわちタッチパネル方向に倒れていく可能性が高い。その場合、タッチパネル方向に倒れながら、落下により上からの力がタブレット型端末装置にくわわるため、筐体がタッチパネル面を押し出すような形で反ることになる。タッチパネル面を押し出すような形で筐体が沿った場合、タッチパネルが引っ張られる方向にタブレット型端末装置が曲がってしまう。
【０００７】
この点、タッチパネルは、強化ガラスを使用しているので、正面からの衝撃などにはある程度の耐性を有するが、特性上引っ張りには比較的弱い構造となっている。そのため、タブレット型端末装置が落下した場合、タッチパネルが引っ張られることで、割れてしまう可能性が高かった。
【０００８】
また、筐体の四隅を画面方向に突出させる従来技術を用いても、角を下にした落下時には、同様の作用が働き、タッチパネルの損壊を防ぐことは困難であった。
【０００９】
開示の技術は、上記に鑑みてなされたものであって、落下に伴う破損を軽減する情報処理装置を提供することを目的とする。
【課題を解決するための手段】
【００１０】
本願の開示する情報処理装置は、一つの態様において、表示用の画面を有する。第１部材は、前記画面が搭載される第１面を有する。第２部材は、前記第１部材と嵌合して、内部空間を有し且つ前記第１面を一方の面とする板状の筐体を形成し、前記筐体の前記第１面と反対側の第２面を有する。第３部材は、前記内部空間に前記第１部材及び前記第２部材に対して固定され配置される。ボスは、前記第１部材の前記内部空間の壁から前記第２部材の方向に突出するように、前記筐体の四隅近傍に配置される。接続部材は、前記ボスと前記第１部材の前記四隅の側壁とを接続する。接触部材は、前記内部空間に配置された前記第３部材と接触するように前記ボスから延びる。
【発明の効果】
【００１１】
本願の開示する情報処理装置の一つの態様によれば、落下に伴う破損を軽減することができるという効果を奏する。
【図面の簡単な説明】
【００１２】
【図１】図１は、タブレット型端末装置をタッチパネル側から見た斜視図である。
【図２】図２は、タブレット型端末装置をリアカバー側から見た斜視図である。
【図３】図３は、タブレット型端末装置の分解斜視図である。
【図４】図４は、タブレット型端末装置の平面図である。
【図５Ａ】図５Ａは、実施例１に係るタブレット型端末装置の角の部分の斜視図である。
【図５Ｂ】図５Ｂは、実施例１に係るタブレット型端末装置の角の部分を他の角度から見た斜視図である。
【図６】図６は、実施例１に係るタブレット型端末装置の角の部分の平面図である。
【図７】図７は、タブレット型端末装置が角を下にして落下した場合の状態を説明するための図である。
【図８】図８は、変形例１に係るタブレット型端末装置の角の部分の斜視図である。
【図９】図９は、変形例２に係るフロントカバーの角の部分の側面図である。
【図１０】図１０は、変形例３に係るフロントカバーの角の部分の側面図である。
【図１１】図１１は、実施例２に係る中子カバーの斜視図である。
【図１２】図１２は、ネジ止め箇所が角から離れた位置に配置された中子カバーの斜視図である。
【図１３】図１３は、ネジ止め箇所が角から離れた位置に配置されたタブレット型端末装置にかかる力を表す図である。
【図１４】図１４は、実施例３に係るフロントカバーの角の部分の斜視図である。
【図１５】図１５は、実施例３に係るフロントカバーと中子カバーとが嵌合した状態を表す図である。
【図１６】図１６は、変形例４に係るタブレット型端末装置の角の部分の斜視図である。
【発明を実施するための形態】
【００１３】
以下に、本願の開示する情報処理装置の実施例を図面に基づいて詳細に説明する。なお、以下の実施例により本願の開示する情報処理装置が限定されるものではない。
【実施例１】
【００１４】
図１は、タブレット型端末装置をタッチパネル側から見た斜視図である。また、図２は、タブレット型端末装置をリアカバー側から見た斜視図である。
【００１５】
タブレット型端末装置１００は、タッチパネル１、フロントカバー２及びリアカバー３を有する。タッチパネル１は、フロントカバー２の上に配置される。またタッチパネル１を搭載したフロントカバー２とリアカバー３は組み合わされて嵌合し、内部に空間を有する１つの筐体を形成する。
【００１６】
以下では、リアカバー３からタッチパネル１へ向かう方向をＺ方向、タッチパネル１からリアカバー３へ向かう方向を逆Ｚ方向という。また、タブレット型端末装置１００の短手方向で図の矢印の向かう方向をＹ方向とし、その逆方向を逆Ｙ方向という。また、タブレット型端末装置１００の長手方向で図の矢印の向かう方向をＸ方向とし、その逆方向を逆Ｘ方向という。
【００１７】
図３は、タブレット型端末装置の分解斜視図である。タブレット型端末装置１００は、Ｚ方向に向けて、リアカバー３、中子カバー４、内部部品５、フロントカバー２及びタッチパネル１の順に重ねられ組み上げられる。
【００１８】
タッチパネル１は、例えば液晶ディスプレイを有する。そして、タッチパネル１は、ディスプレイへの画像の表示を行う。また、タッチパネル１は、ディスプレイが押圧されることにより押圧された画面上の位置の入力を受ける。このタッチパネル１が、「表示用の画面」の一例にあたる。
【００１９】
フロントカバー２は、タッチパネル１のはめ込み用の枠を有する。また、フロントカバー２は、タブレット型端末装置１００のタッチパネル１の周りのカバー及び側面のカバーを有する。そして、タッチパネル１が搭載されたフロントカバー２は、中子カバー４と組み合わされることで、中子カバー４に組み付けられた内部部品５を覆う。このフロントカバー２が、「第１部材」の一例にあたる。そして、フロントカバー２におけるタッチパネル１の搭載面が、「第１面」の一例にあたる。
【００２０】
内部部品５は、メインボードを含むタブレット型端末装置１００の各種機能を実現する部品群である。内部部品５には、他にもハードディスク、通信装置、スピーカ及び接続ケーブルなどが含まれる。
【００２１】
中子カバー４は、内部部品５を組み付ける部材である。中子カバー４は、内部部品５が取り付けられた状態で、フロントカバー２及びリアカバー３で覆われる。具体的には、中子カバー４には、ＣＰＵ（Central  Processing  Unit）を搭載するメインボードが取り付けられる。さらに、中子カバー４には、例えば、Ｗ−ＬＡＮ（Wireless  Local  Area  Network）アンテナ、スピーカ及びマイクなどが取り付けられる。
【００２２】
中子カバー４は、フロントカバー２及びリアカバー３により外部が覆われる。すなわち、中子カバー４は、フロントカバー２とリアカバー３とが組み合わされたことで形成される内部の空間に配置される。
【００２３】
さらに、本実施例における中子カバー４は、フロントカバー２と接する場所に防水パッキンが配置される。防水パッキンは、中子カバー４に搭載された部品を囲むように配置される。この防水パッキンにより、中子カバー４に搭載された部品への外部からの水の侵入が防がれる。ただし、防水性を向上させなくてもよい場合、防水パッキンは設けられなくてもよい。この中子カバー４が、「第３部材」の一例にあたる。
【００２４】
リアカバー３は、中子カバー４のフロントカバー２と反対の側の面を覆う。そして、リアカバー３は、中子カバー４を挟みフロントカバー２と嵌合させられ、ネジなどの留具によってリアカバー３と結合される。リアカバー３と中子カバー４との間に、バッテリなどが配置されてもよい。このリアカバー３が、「第２部材」の一例にあたる。また、リアカバー３のフロントカバー２と逆方向に向いた面が、「第２面」の一例にあたる。タブレット型端末装置１００は、フロントカバー２及びリアカバー３が組み合わさり嵌合することにより形成される板状の筐体を有する。
【００２５】
図４は、タブレット型端末装置の平面図である。そして、タブレット型端末装置１００は、フロントカバー２で形成される角２１〜２４という四隅を有する。以下では、四隅のそれぞれを区別しない場合、「角２０」という。角２０は、カーブを描くように形成されている。
【００２６】
図５Ａは、実施例１に係るタブレット型端末装置の角の部分の斜視図である。また、５Ｂは、実施例１に係るタブレット型端末装置の角の部分を他の角度から見た斜視図である。
【００２７】
図５Ａ及び５Ｂに示すように、フロントカバー２は、角２０に突起２０１を有する。突起２０１は、角２０における厚み方向、すなわち、Ｚ方向のタッチパネル１が配置された面の近傍に設けられる。本実施例に係るタブレット型端末装置１００の場合、側面の厚みが１１．７ｍｍであり、突起２０１は、タッチパネル１の表面からの距離が１．５ｍｍより大きく２ｍｍ以下の位置に設けられることが好ましい。具体的には、突起２０１は、フロントカバー２の突起２０１にあたる部分の厚みを肉増しすることで形成される。
【００２８】
図６は、実施例１に係るタブレット型端末装置の角の部分の平面図である。図６に示す破線カーブは、突起２０１が形成するカーブを表す。また、一点鎖線カーブは、角２０における肉厚にされていない部分が形成するカーブを表す。以下では、角２０における肉厚にされていない部分を「通常部分」という。そして、Ｒ１は、突起２０１が形成するカーブの半径を表す。また、Ｒ２は、通常部分が形成するカーブの半径を表す。ここで、Ｒ１は、Ｒ２より長くなるように形成される。すなわち、突起２０１の曲率が、通常部分の曲率より小さくなるように形成される。そして、突起２０１のカーブを、角２０以外の領域で通常部分のカーブに収束させる。これにより、タブレット型端末装置１００の角２０を外に膨らませるだけで、縦横の寸法を大きくすることなく、突起２０１を設けることができる。すなわち、耐衝撃性の対策を施しつつ、小型化されたタブレット型端末装置１００のサイズを維持できる。
【００２９】
このように、角２０におけるタッチパネル１側に突起２０１を設けることで、角２０を下にしてタブレット型端末装置１００が落下した場合に、最初に突起２０１が地面に接触することになる。以下に、図７を参照して、角２０を下にしてタブレット型端末装置１００が落下した場合のタブレット型端末装置１００の状態について説明する。図７は、タブレット型端末装置が角を下にして落下した場合の状態を説明するための図である。
【００３０】
ここでは、図７の下向きにタブレット型端末装置１００が落下する場合で説明する。図７に示すように、タブレット型端末装置１００が落下した場合、まず突起２０１が地面に接触する。突起２０１が地面に接触した状態で、タブレット型端末装置１００の重心は突起２０１よりもリアカバー３側にある。そこで、タブレット型端末装置１００は、突起２０１を頂点としてリアカバー３側、すなわちタッチパネル１とは逆側に傾く。
【００３１】
その状態で、タブレット型端末装置１００には、図７の下向きにタブレット型端末装置１００の荷重Ｐ１が掛かる。そこで、突起２０１を頂点として、タッチパネル１が潰れる方向にフロントカバー２及びタッチパネル１が屈曲する。すなわち、タッチパネル１には、縮める力が働く。このように、タッチパネル１に対して引っ張る方向とは逆の方向の力が加わることにより、タッチパネル１の破損を防ぐことができる。
【００３２】
以上に説明したように、本実施例に係るタブレット型端末装置は、四隅においてタッチパネル側に突起を有する。これにより、角を下にした落下時に、タッチパネルに引っ張られる方向の力が加わることが回避でき、タッチパネルの破損を軽減することができる。
【００３３】
特に、本実施例に係るタブレット型端末装置を用いたシミュレーションの結果、四隅の内の最も弱い角を下にして落下させた場合に、強度が３割向上した。また、シミュレーションの結果、ＭＩＬ（Military  Standard）規格に対応した試験において、１２２ｃｍから落下させてもタブレット型端末装置が損壊しないことが確認できた。
【００３４】
また、本実施例に係るタブレット型端末装置は、単にフロントカバーの一部を肉厚にするだけで、耐衝撃性能を向上させることができ、追加部品などがないため、耐衝撃性向上のためのコストを抑えることができる。さらに、突起を設けても縦横の寸法は変わらないため、タブレット型端末装置のサイズや重量などに影響を与えずに、耐衝撃性能を向上させることができる。
【００３５】
（変形例１）
図８は、変形例１に係るタブレット型端末装置の角の部分の斜視図である。本変形例に係るフロントカバー２は、角２０において、リアカバー３側の通常部分から突起２０１に向かうカーブＲ３を形成して、通常部分と突起２０１とを滑らかに接続する。すなわち、フロントカバー２は、通常部分から突起２０１に向かって滑らかに外側に向かって広がる構成を有する。
【００３６】
このように、タブレット型端末装置がリアカバー側から突起へと滑らかなカーブを有する形状であっても、実施例１と同様にタッチパネルの破損を軽減することができる。さらに、リアカバー側から突起へと滑らかなカーブを有する形状にすることで、突起を付ける前のデザインになじませる形で、突起を設けることができる。すなわち、タブレット型端末装置のデザインを損なうことなく、耐衝撃性能を向上させることができる。
【００３７】
（変形例２）
図９は、変形例２に係るフロントカバーの角の部分の側面図である。本変形例に係るフロントカバー２は、角２０において、リアカバー３側の通常部分から突起２０１に向かう傾斜を有する斜面により、通常部分と突起２０１とを滑らかに接続する。すなわち、フロントカバー２は、通常部分から突起２０１に向かって直線的に外側に向かって広がる構成を有する。
【００３８】
このように、タブレット型端末装置がリアカバー側から突起へと向かう斜面を有する形状であっても、実施例１と同様にタッチパネルの破損を軽減することができる。
【００３９】
（変形例３）
図１０は、変形例３に係るフロントカバーの角の部分の側面図である。本変形例に係るフロントカバー２は、角２０において、リアカバー３側の通常部分から突起２０１に向かう階段状の面を有する。すなわち、フロントカバー２は、通常部分から突起２０１に向かって段階的に外側に向かって広がる構成を有する。
【００４０】
このように、タブレット型端末装置がリアカバー側から突起へと向かう階段状の面を有する形状であっても、実施例１と同様にタッチパネルの破損を軽減することができる。
【００４１】
以上に説明したように、ここでは、４種類の角の形状を提示したが、角の形状はタッチパネル側に突起を有する形状であればこれに限らない。
【実施例２】
【００４２】
次に、実施例２について説明する。本実施例に係るタブレット型端末装置は、ネジ止め箇所を四隅の近傍に配置した構造を有する。以下に、本実施例に係るタブレット型端末装置における四隅のネジ止め箇所について具体的に説明する。
【００４３】
本実施例に係るタブレット型端末装置１００は、フロントカバー２が中子カバー４と四隅の近傍でネジによって連結され固定される。ここで、本実施例では、フロントカバー２と中子カバー４とを連結するネジを例に説明するが、これは、フロントカバー２とリアカバー３とを連結するネジであってもよい。
【００４４】
図１１は、実施例２に係る中子カバーの斜視図である。中子カバー４には、角２０の近傍に配置されないように、内部部品５が組み付けられる。そして、角２０の近傍に内部部品５が配置されないことから、角２０の近傍にネジ７を配置する領域を設けることができる。そこで、中子カバー４は、ネジ７が角２０の近傍に配置される。このネジ７が、「留具」の一例にあたる。
【００４５】
さらに、中子カバー４は、防水パッキン６による止水ルートが、ネジ７の内側を経由し且つそれ以外の部分ではフロントカバー２が形成する側面の近傍を経由するように配置される。止水ルートは、内部部品５を囲む環状の形状を有し、防水パッキン６も、止水ルートに沿って環状の形状を有する。防水パッキン６は、アクリルゴムなどで形成される。ネジ７が配置された角２０の近傍には、内部部品５が配置されないため、止水ルートがネジ７の内側を経由しても、内部部品５は水の侵入から守られる。この防水パッキン６が、「防水部材」の一例にあたる。
【００４６】
このように、中子カバー４の角２０の近傍に配置されたネジ７により、中子カバー４とフロントカバー２とが固定されることで、フロントカバー２の角２０の近傍においてネジ止めが行われる。
【００４７】
ここで、例えば、フロントカバー２の四隅から離れた位置にネジ止め箇所がある場合について説明する。図１２は、ネジ止め箇所が角から離れた位置に配置された中子カバーの斜視図である。また、図１３は、ネジ止め箇所が角から離れた位置に配置されたタブレット型端末装置にかかる力を説明するための図である。
【００４８】
図１２に示すように、この場合、中子カバー４１には、角の近傍まで内部部品５１が配置される。そのため、角の近傍にネジ７１を配置するための領域が設けられない。そこで、ネジ７１は、中子カバー４１の角から離れた位置に設けられる。さらに、角の近傍まで配置された内部部品５１への浸水を防ぐため、角近傍を経由するように防水パッキン６１による止水ルートが配設される。
【００４９】
図１２の中子カバー４１を使用したタブレット型端末装置では、図１３に示すような力Ｐ２及びＰ３が加わる。図１３は、ネジが角から離れた位置に配置されたタブレット型端末装置に掛かる力を表す図である。すなわち、ネジ７１によりフロントカバー２５と中子カバー４１とを固定することで、フロントカバー２５及び中子カバー４１のそれぞれに、互いに近づける力Ｐ２が加わる。角から離れた位置で力Ｐ２が加わることで、フロントカバー２５及びリアカバー３１のそれぞれに、互いから離れる力Ｐ３が加わる。さらに、防水パッキン６１の反発力により、防水パッキン６１を支点として、フロントカバー２５とリアカバー３１とを離す力Ｐ３がより大きく働く。
【００５０】
図１３に示す状態で、角を下にタブレット型端末装置が落下した場合、タッチパネル１１が搭載されたフロントカバー２５は、リアカバー３１と独離して動いてしまい、変形量が大きくなるため、タッチパネル１１が破損する可能性が高くなる。
【００５１】
これに対して、本実施例に係るタブレット型端末装置１００では、フロントカバー２の角２０の近傍にネジ７が配置される。このため、フロントカバー２とリアカバー３とを離す力が小さくなり、フロントカバー２とリアカバー３との乖離が小さくなる。
【００５２】
さらに、ネジ７の内側に防水パッキン６が配置されるので、防水パッキン６の反発力によるフロントカバー２とリアカバー３とを乖離させる力が働かない。そのため、フロントカバー２とリアカバー３との乖離を小さく抑えることができる。
【００５３】
このように、フロントカバー２とリアカバー３との乖離を小さく抑えることで、フロントカバー２がリアカバー３に対して独立して動くことを低減し、タッチパネル１を搭載したフロントカバー２の変形量を小さく抑えることができる。これにより、タッチパネル１の破損を抑えることができる。
【００５４】
以上に説明したように、本実施例に係るタブレット型端末装置は、ネジ止めの位置を角の近傍に置くことで、ネジ止めの位置が角から離れた状態よりも、落下時のフロントカバーの変形量を小さく抑えることができ、タッチパネルの損壊を低減することができる。
【００５５】
さらに、四隅のネジに防水ネジを用いなくてもよくなるため、嵌合強化を行いやすい。さらに、ネジが角から離れている場合に比べて、四隅の隙間を小さくすることができ、外観を良くすることができる。
【実施例３】
【００５６】
次に、実施例３について説明する。本実施例に係るタブレット型端末装置は、フロントカバーのボスから中子カバーに接するリブが延びている。以下に、本実施例に係るタブレット型端末装置におけるフロントカバーのボスについて具体的に説明する。
【００５７】
図１４は、実施例３に係るフロントカバーの角の部分の斜視図である。図１４は、フロントカバー２の角２０の部分を内側から見た状態を表す。
【００５８】
図１４に示すように、本実施例に係るフロントカバー２は、角２０の近傍にボス２１０を有する。ボス２１０は、中子カバー４とフロントカバー２とを連結するネジ７に対応するボスである。
【００５９】
そして、ボス２１０は、側面にフロントカバー２の内壁に延びるリブ２１１を有する。リブ２１１は、ボス２１０の側面とフロントカバー２の内壁とを接続する。ここで、図１４では、リブ２１１は、４つ設けられているが、この数に特に制限はない。このリブ２１１が、「接続部材」の一例にあたる。
【００６０】
さらに、ボス２１０は、フロントカバー２と中子カバー４とが嵌合された状態で、中子カバー４に向けて延びるリブ２１２を側面に有する。リブ２１２は、フロントカバー２と中子カバー４とが嵌合された状態で、中子カバー４が有するフロントカバー２の方向に延びる壁面に接する。ここで、図１４では、リブ２１２は、５つ設けられているが、この数に特に制限はない。このリブ２１２が、「接触部材」の一例にあたる。
【００６１】
図１５は、本実施例に係るフロントカバーと中子カバーとが嵌合した状態を表す図である。図１５は、フロントカバー２と中子カバー４とを嵌合させた状態で、リブ２１１及び２１２の双方が切断される位置の断面を表す。
【００６２】
図１５に示すように、ボス２１０から延びるリブ２１２は、中子カバー４に接する。具体的には、リブ２１２は、接触領域Ｓ１及びＳ２において中子カバー４に接する。ここで、接触領域Ｓ１では、リブ２１２は、防水パッキン６が配設される止水ルートの壁に接する。さらに、ボス２１０からフロントカバー２の内壁へ延びるリブ２１１も接触領域Ｓ３において、中子カバー４と接する。
【００６３】
ここで、角２０を下にしてタブレット型端末装置１００が落下した場合、突起２０１が地面にぶつかることで、タッチパネル１は、縮む方向に力を受ける。その場合、接触領域Ｓ１及びＳ２においてリブ２１２が中子カバー４と接触することで、タッチパネル１が縮む方向へのフロントカバー２の変形を阻害する。また、接触領域Ｓ３においてリブ２１１が中子カバー４と接触することで、タッチパネル１が縮む方向へのフロントカバー２の変形を阻害する。これにより、タッチパネル１の縮む方向への変形量が抑制され、タッチパネル１の破損を軽減することができる。
【００６４】
また、例えば、タッチパネル１が引っ張られる方向へ力がかかってしまった場合であっても、接触領域Ｓ１及びＳ２においてリブ２１２が中子カバー４と接触することで、フロントカバー２の変形を阻害する。また、接触領域Ｓ３においてリブ２１１が中子カバー４と接触することで、フロントカバー２の変形を阻害する。これにより、タッチパネル１が引っ張られる方向への変形量が抑制され、タッチパネル１の破損を軽減することができる。
【００６５】
このように、タッチパネル１が引っ張られる方向及び縮む方向の何れかの方向の力が掛かった場合にも、タッチパネル１の変形を抑制できるので、例えば、突起２０１を有さない場合でも、タッチパネル１の破損の軽減の効果を得ることができる。
【００６６】
また、リブ２１１は、フロントカバー２の内壁と接続されていることで、落下時のフロントカバー２の変形量を抑制することができる。
【００６７】
以上に説明したように、本実施例に係るタブレット型端末装置は、フロントカバーのボスからフロントカバーの内壁に接続するリブ及び中子カバーに接続するリブを有する。これにより、落下時のフロントカバーの変形量を抑制でき、タッチパネルの破損を低減することができる。
【００６８】
さらに、本実施例では、止水ルートの壁に接触するようにリブ２１２を伸ばしたが、接触する壁はとくに制限はなく、例えば、中子カバー４にフロントカバー２へと延びる変形抑制用の壁を形成し、その変形抑制用の壁にリブ２１２を接触させてもよい。
【００６９】
（変形例４）
次に、変形例４について説明する。図１６は、変形例４に係るタブレット型端末装置の角の部分の斜視図である。
【００７０】
本変形例に係るタブレット型端末装置１００は、図１６に示すように、タッチパネル１が、実施例３の場合よりも角２０から離れた位置に配置される。すなわち、距離Ｌが実施例３よりも長い。
【００７１】
このように、四隅からタッチパネルまでの距離を長くすることで、フロントカバーの変形により落下衝撃を吸収し、タッチパネルに衝撃が伝わりにくくなる。これにより、タッチパネルの破損をより低減することができる。
【符号の説明】
【００７２】
１  タッチパネル
２  フロントカバー
３  リアカバー
４  中子カバー
５  内部部品
６  防水パッキン
７  ネジ
２０〜２４  角
１００  タブレット型端末装置
２０１  突起
２１０  ボス
２１１，２１２  リブ
【図１】
0006561705.tif 000002
【図２】
0006561705.tif 000003
【図３】
0006561705.tif 000004
【図４】
0006561705.tif 000005
【図５Ａ】
0006561705.tif 000006
【図５Ｂ】
0006561705.tif 000007
【図６】
0006561705.tif 000008
【図７】
0006561705.tif 000009
【図８】
0006561705.tif 000010
【図９】
0006561705.tif 000011
【図１０】
0006561705.tif 000012
【図１１】
0006561705.tif 000013
【図１２】
0006561705.tif 000014
【図１３】
0006561705.tif 000015
【図１４】
0006561705.tif 000016
【図１５】
0006561705.tif 000017
【図１６】
0006561705.tif 000018